(57)【要約】 【課題】  簡単な構造で洗浄槽を軽い操作力により引き出し／押し込むことができ、操作性を向上することができる食器洗浄機を得る【解決手段】  食器洗浄機本体１内に上方を開口し食器３を収納する洗浄槽２を設け、洗浄槽２内の食器３を洗浄する洗浄ノズル５と、洗浄槽２の外面に固定される第１のスライドレール６と、洗浄槽２に回転可能に固定された第１のローラ７と、食器洗浄機本体１に固定され、第１のローラ７の上方および下方に摺動面をもつ第２のスライドレール８と、食器洗浄機本体１に回転可能に固定され、第１のスライドレール６を下方から支持する第２のローラ９とを備え、第２のスライドレール８を、食器洗浄機本体１の前面側が低くなるように傾斜させて配設する。【選択図】      図１
2005230323.tif 000002
【特許請求の範囲】
【請求項１】
上方を開口し食器が収納される洗浄槽と、前記洗浄槽内の食器を洗浄する洗浄ノズルと、前記洗浄槽の外面に固定される第１のスライドレールと、前記洗浄槽に回転可能に固定された第１のローラと、食器洗浄機本体に固定され、前記第１のローラの上方および下方に摺動面をもつ第２のスライドレールと、前記食器洗浄機本体に回転可能に固定され、前記第１のスライドレールを下方から支持する第２のローラとを備え、前記洗浄槽を食器洗浄機本体の前面側に引き出せる食器洗浄機において、前記第２のスライドレールは、前記食器洗浄機本体の前面側が低くなるよう傾斜させて配設したことを特徴とする食器洗浄機。
【請求項２】
前記第２のスライドレールを上部レールと下部レールとで構成し、前記第２のスライドレールの取り付け傾斜角度θを、θ＝ｔａｎ−１（（第２のスライドレールの上部レールと下部レールとの間隔−第１のローラの直径）／第１のローラの移動可能距離）としたことを特徴とする前記請求項１記載の食器洗浄機。
【請求項３】
前記第２のスライドレールを上部レールと下部レールとで構成し、前記第２のスライドレールの取り付け傾斜角度θを、θ＝ｔａｎ−１（（第２のスライドレールの上部レールと下部レールとの間隔−第１のローラの直径）／第１のローラの移動可能距離）＋洗浄槽を食器洗浄機本体内から前面側に引き出したときの第１のスライドレールの撓み角）としたことを特徴とする請求項１記載の食器洗浄機。
【請求項４】
前記洗浄槽が食器洗浄機本体から前面側に引き出された状態で、前記第２のローラの近傍に位置する第１のスライドレールの部分を、所定角度αだけ上方に曲げて形成したことを特徴とする請求項２記載の食器洗浄機。
【発明の詳細な説明】
【技術分野】
【０００１】
この発明は、食器洗浄機に関するものである。
【背景技術】
【０００２】
従来の食器洗浄機としては、食器洗浄機本体から洗浄槽を手前に引き出し、洗浄槽内に食器を収納して食器の洗浄を行うもので、洗浄槽を食器洗浄機本体内から手前に引き出したとき、洗浄槽内に収納された食器の重さにより洗浄槽が下がり、洗浄槽を食器洗浄機本体内に押し込むときの操作力が大変大きくなってしまうことを回避するために、洗浄槽を斜め上方にスライドさせて引き出すものがある（例えば、特許文献１参照）。
【０００３】
【特許文献１】特許３１２９３１２号公報（第２−３頁、第１図）
【発明の開示】
【発明が解決しようとする課題】
【０００４】
従来の食器洗浄機では、洗浄槽内に収納された食器の重さにより洗浄槽を引き出したとき、洗浄槽が下がってしまい、洗浄槽を押し込むときの操作力が大変大きくなってしまうという課題を解決するために、洗浄槽を斜め上方にスライドして引き出すようにしたが、洗浄槽を引き出す際に洗浄槽を上方に持ち上げる方向の力が必要となってしまい、洗浄槽を押し込む際の操作力は小さくとも、引き出す際の操作力が大きくなってしまうという問題点があった。
また、洗浄槽を引き出したとき、洗浄槽の下がりを防止するためには、大荷重に耐えるレールを使う必要があり、その結果レール事態が大きくなり、食器洗浄機本体の寸法が同じ場合、洗浄槽の寸法が小さくなり、洗浄容量が犠牲になってしまうし、レール自体も高価なものになってしまうという問題点もあった。
【０００５】
この発明は、上記のよう課題を解決するためになされたもので、簡単な構造で洗浄槽を軽い操作力により引き出し／押し込むことができ、操作性を向上することができる食器洗浄機を得るものである。
【課題を解決するための手段】
【０００６】
この発明に係る食器洗浄機は、上方を開口し食器が収納される洗浄槽と、前記洗浄槽内の食器を洗浄する洗浄ノズルと、前記洗浄槽の外面に固定される第１のスライドレールと、前記洗浄槽に回転可能に固定された第１のローラと、食器洗浄機本体に固定され、前記第１のローラの上方および下方に摺動面をもつ第２のスライドレールと、前記食器洗浄機本体に回転可能に固定され、前記第１のスライドレールを下方から支持する第２のローラとを備え、前記洗浄槽を食器洗浄機本体の前面側に引き出せる食器洗浄機において、前記第２のスライドレールは、前記食器洗浄機本体の前面側が低くなるよう傾斜させて配設したものである。
【発明の効果】
【０００７】
この発明は、食器洗浄機本体に第２のスライドレールを食器洗浄機本体の前面側が低くなるよう傾斜させて配設したので、洗浄槽を食器洗浄機本体内に収納する際の洗浄槽を押し込む操作力を低減できる食器洗浄機を得ることができる。
【発明を実施するための最良の形態】
【０００８】
実施の形態１．
図１は、この発明を実施するための実施の形態１における食器洗浄機を示す断面図で、（ａ）洗浄槽を食器洗浄機本体内に収納した状態、（ｂ）洗浄槽を食器洗浄機本体内から引き出された状態であり、図２はレール部の動作状態を示す説明図で、（ａ）洗浄槽が食器洗浄機本体内に収納された状態、（ｂ）洗浄槽を食器洗浄機本体内から引き出した状態である。図において、食器洗浄機本体１は前方を開口し、その内部に上方を開口した洗浄槽２が前方に引き出し可能に設けられている。洗浄槽２の内部には、食器３を収納する食器かご４、洗浄水を噴射して食器３を洗浄する洗浄ノズル５が設けられている。洗浄槽２には、移動レール６（特許請求の範囲でいう第１のスライドレール）が設けられ、さらに移動レール６と一体に移動ローラ７（特許請求の範囲でいう第１のローラ）が設けられている。食器洗浄機本体１の内部側面には、固定レール８（特許請求の範囲でいう第２のスライドレール）および固定ローラ９（特許請求の範囲でいう第２のローラ）が設けられている。移動レール６は固定ローラ９により下方から支持されている。また、固定レール８は断面が略コの字形状で、上部レール８ａと下部レール８ｂとで構成されており、これら上部レール８ａと下部レール８ｂの間に移動ローラ７が配置される。
【０００９】
固定レール８は、引き出し側（食器洗浄機本体１の前面側）が低くなるように傾斜させて食器洗浄機本体１の内部側面に取り付けられている。そして、その傾斜角度θは、θ＝ｔａｎ−１（ｙ／ｘ）で、ｙ＝Ａ−Ｂであり、Ａは固定レール８の上部レール８ａと下部レール８ｂの間隔、Ｂは移動ローラ７の直径、Ｘは洗浄槽２が食器洗浄機本体１に収納された状態から手前に引き出された状態になるまでに移動ローラ７が移動する水平距離とする。
【００１０】
このように構成された食器洗浄機の洗浄槽の引き出す／押し込むときの動作について説明する。食器洗浄機本体１に収納されている洗浄槽２を引き出す（図１（ｂ）、図２（ｂ）の状態）ことで、洗浄槽２の上部開口部２ａが開放状態となり、食器３を洗浄槽２の内部の食器かご４に収納可能となる。食器３を収納したら、洗浄槽２を食器洗浄機本体１に押し込む（図１（ａ）、図２（ａ）の状態）。そして、操作パネル（図示せず）を操作して洗浄運転が開始される。給水・洗い・すすぎ等を自動で行い、洗浄運転終了後、洗浄槽２を食器洗浄機本体１より引き出し、洗浄された食器３を洗浄槽２内から取り出す。その後、洗浄槽２を食器洗浄機本体１内に押し込んで収納し、一連の操作を終える。
【００１１】
このように、洗浄槽２内への食器３の収納／洗浄槽２内からの食器３の取り出しの際には、洗浄槽２を食器洗浄機本体１内から引き出す／押し込む動作が行われる。洗浄槽２が食器洗浄機本体１に収納された状態では、移動ローラ７は固定レール８の奥の部分で支持され、固定ローラ９は移動レール６の手前の部分を支持する（図２（ａ）参照）。洗浄槽２の重心は、移動ローラ７と固定ローラ９の間に存在し、洗浄槽２の重さによって移動ローラ７は下側に押し付けられて、移動ローラ７は固定レール８の下部レール８ｂの上面に接している。このとき、移動レール６は水平状態となる。
【００１２】
一方、洗浄槽２が食器洗浄機本体１から引き出された状態（図２（ｂ）参照）では、移動ローラ７は固定レール８の手前部分で支持され、固定ローラ９は移動レール６の奥の部分を支持する。このとき、洗浄槽２の重心は、固定ローラ９よりも手前側に存在する。洗浄槽２の重さは固定ローラ９により支持され、固定ローラ９を支点として移動ローラ７は上面に押し付けられ、移動ローラ７は固定レール８の上部レール８ａの下面に接している。
【００１３】
このようにして、固定レール８を引き出し側（食器洗浄機本体１の前面側）が低くなるように傾斜して取り付け、その傾斜角度を上述した値θとすることで、洗浄槽２が引き出された状態での移動ローラ７は固定レール８の引き出し側（食器洗浄機本体１の前面側）の低くなっている上部レール８ａ部分に接するので、移動ローラ７の高さは洗浄槽２が食器洗浄機本体１に収納された状態と同じ高さとなる。これにより、移動レール６は水平状態のまま引き出される。
【００１４】
つまり、洗浄槽２が食器洗浄機本体１内に収納され、移動ローラ７が下部レール８ｂの上面に接している状態でも、洗浄槽２が食器洗浄機本体１内から引き出され、移動ローラ７が上部レール８ａの下面に接している状態でも、移動レール６は水平状態を保ち、したがって、移動レール６に固定された洗浄槽２の位置する高さは一定でかつ水平状態を保ち続ける。
【００１５】
このように、洗浄槽２を食器洗浄機本体１内から引き出した際に、収納された食器３の重さにより洗浄槽２が下がることがないので、洗浄槽２を食器洗浄機本体１内に収納する際に洗浄槽２を押し込む操作力が大きくなることはなく、操作性の良い食器洗浄機を実現することができる。
【００１６】
実施の形態２．
図３は、この発明を実施するための実施の形態２における食器洗浄機のレール部の動作状態を示す説明図であり、（ａ）洗浄槽が食器洗浄機本体内に収納された状態、（ｂ）洗浄槽を食器洗浄基本体内から引き出した状態である。なお、上記実施の形態１の１〜５は本実施の形態２においても同様である。図において、洗浄槽２には移動レール６が設けられ、さらに移動レール６と一体に移動ローラ７が設けられている。食器洗浄機本体１の内部側面には固定レール８および固定ローラ９が設けられ、移動レール６は固定ローラ９により下方より支持されている。固定レール８は断面が略コの字形状で、上部レール８ａと下部レール８ｂとで構成されており、これら上部レール８ａと下部レール８ｂの間には移動ローラ７が配置される。
【００１７】
固定レール８は、引き出し側（食器洗浄機本体１の前面側）が低くなるよう傾斜させて食器洗浄機本体１の内部側面に取り付けられている。そして、その傾斜角度θは、θ＝ｔａｎ−１（ｙ／ｘ）＋αで、ｙ＝Ａ−Ｂであり、Ａは固定レール８の上部レール８ａと下部レール８ｂの間隔、Ｂは移動ローラ７の直径、ｘは洗浄槽２が食器洗浄機本体１に収納された状態から手前に引き出された状態になるまでに移動ローラ７が移動する水平距離、αは洗浄槽２が食器洗浄機本体１から手前に引き出された状態で移動レール６が洗浄槽２の重みにより撓む撓み角とする。
【００１８】
このように構成された食器洗浄機の洗浄槽の引き出す／押し込むときの動作について説明する。上記実施の形態1と同様に、洗浄槽２内への食器３（図示せず）の収納および取り出しの際に、洗浄槽２を食器洗浄機本体１内から引き出す／押し込む動作を行う。洗浄槽２が食器洗浄機本体１に収納された状態（図３（ａ）の状態）では、移動ローラ７は固定レール８の奥の部分で支持され、固定ローラ９は移動レール６の手前の部分を支持する。洗浄槽２の重心は移動ローラ７と固定ローラ９の間に存在し、洗浄槽２の重さによって移動ローラ７は下側に押し付けられて、移動ローラ７は固定レール８の下部レール８ｂの上面に接している。このとき、移動レール６は水平状態となる。
【００１９】
一方、洗浄槽２が食器洗浄機本体１から引き出された状態（図３（ｂ）の状態）では、移動ローラ７は固定レール８の手前の部分で支持され、固定ローラ９は移動レール６の奥の部分を支持する。このとき、洗浄槽２の重心は、固定ローラ９よりも手前側に存在し、洗浄槽２の重さは固定ローラ９により支持される。そしてこのとき、移動レール６は洗浄槽２の重みによって撓む。その撓み角をαとする。また、移動ローラ７は固定ローラ９を支点として上面に押し付けられ、移動ローラ７は固定レール８の上部レール８ａの下面に接している。
【００２０】
このように、固定レール８を引き出し側（食器洗浄機本体１の前面側）が低くなるように傾斜して取り付け、その傾斜角度は先に述べた値θとすることで、移動ローラ７の高さ位置の変動と、移動レール６の洗浄槽２の重みによる撓みを総合して、移動レール６が水平状態を常に保つことができ、そのため、洗浄槽２が食器洗浄機本体１内に収納され、移動ローラ７が下部レール８ｂの上面に接している状態でも、洗浄槽２が食器洗浄機本体１から引き出され、移動ローラ７が上部レール８ａの下面に接している状態でも、移動レール６は水平状態を保ち続けられ、移動レール６に固定された洗浄槽２の位置する高さは一定かつ水平状態を保てる。
【００２１】
このように構成された食器洗浄機においては、洗浄槽２を食器洗浄機本体１から引き出した際に、収納された食器３の重さにより洗浄槽２が下がることがないので、洗浄槽２を食器洗浄機本体１に収納する際に洗浄槽２を押し込む操作力が大きくなるようなことはなく、操作性のよい食器洗浄機を実現することができる。
【００２２】
実施の形態３．
図４は、この発明を実施するための実施の形態３における食器洗浄機のレール部の動作状態を示す説明図で、（ａ）洗浄槽が食器洗浄機本体内に収納された状態、（ｂ）洗浄槽を食器洗浄機本体内から引き出した状態である。なお、上記実施の形態１の１〜５は本実施の形態３においても同様である。図において、洗浄槽２には、移動レール６が設けられ、さらに移動レール６と一体に移動ローラ７が設けられている。固定レール８および固定ローラ９は食器洗浄機本体１の内部側面に設けられ、移動レール６は固定ローラ９により下方より支持されている。固定レール８は断面が略コの字形状で、上部レール８ａと下部レール８ｂとで構成されており、これら上部レール８ａと下部レール８ｂの間には移動ローラ７が配置される。そして、移動レール６は、洗浄槽２を食器洗浄機本体１内から引き出した状態のときの固定ローラ９近傍に位置する部分から、所定角度αだけ上方に曲げて形成している。
【００２３】
固定レール８は、引き出し側（食器洗浄機本体１の前面側）が低くなるよう傾斜させて食器洗浄機本体１の内部側面に取り付けられている。そして、その傾斜角度θは、θ＝ｔａｎ−１（ｙ／ｘ）で、ｙ＝Ａ−Ｂであり、Ａは固定レール８の上部レール８ａと下部レール８ｂの間隔、Ｂは移動ローラ７の直径、ｘは洗浄槽２が食器洗浄機本体１に収納された状態から手前に引き出された状態になるまでに移動ローラ７が移動する水平距離とする。
【００２４】
このように構成された食器洗浄機の洗浄槽の引き出す／押し込むときの動作について説明する。上記実施の形態1と同様に、洗浄槽２内への食器３（図示せず）の収納および取り出しの際に、洗浄槽２を食器洗浄機本体１内から引き出す／押し込む動作を行う。洗浄槽２が食器洗浄機本体１に収納された状態（図４（ａ）の状態）では、移動ローラ７は固定レール８の奥の部分で支持され、固定ローラ９は移動レール６の手前の部分を支持する。洗浄槽２の重心は移動ローラ７と固定ローラ９の間に存在し、洗浄槽２の重さによって移動ローラ７は下側に押し付けられて、移動ローラ７は固定レール８の下部レール８ｂの上面に接している。
【００２５】
一方、洗浄槽２が食器洗浄機本体１から引き出された状態（図４（ｂ）の状態）では、移動ローラ７は固定レール８の手前の部分で支持され、固定ローラ９は移動レール６の奥の部分を支持する。このとき、洗浄槽２の重心は、固定ローラ９よりも手前側に存在し、洗浄槽２の重さは固定ローラ９により支持される。そして、このとき、移動レール６は洗浄槽２の重みによって撓む。その撓み角を所定角度αとしている。また、移動ローラ７は固定ローラ９を支点として上面に押し付けられ、移動ローラ７は固定レール８の上部レール８ａの下面に接している。
【００２６】
このようにして、固定レール８を引き出し側（食器洗浄機本体１の前面側）が低くなるよう傾斜して取り付け、その傾斜角度を上述した値θとし、洗浄槽２を食器洗浄機本体１に収納した状態のときの移動レール６の固定ローラ９から前方を角度αだけ上方に曲げることで、移動レール６が洗浄槽２の重みにより角度αだけ撓み、移動レール６は直線状となり、移動ローラ７の高さと移動レール６の撓みを総合して、移動レール６を水平状態に保つことができる。
【００２７】
このように構成された食器洗浄機においては、洗浄槽２を食器洗浄機本体１から引き出した状態で、移動レール６が水平状態となるため、洗浄槽２を食器洗浄機本体１内に収納する際に、洗浄槽２を押し込む操作力が大きくなるようなことはなく、操作性のよい食器洗浄機を実現することができる。
【図面の簡単な説明】
【００２８】
【図１】この発明の実施の形態１を示す食器洗浄機の断面図である
【図２】この発明の実施の形態１を示す食器洗浄機のレール部の動作状態を示す説明図である
【図３】この発明の実施の形態２を示す食器洗浄機のレール部の動作状態を示す説明図である
【図４】この発明の実施の形態３を示す食器洗浄機のレール部の動作状態を示す説明図である
【符号の説明】
【００２９】
１  食器洗浄機本体、２  洗浄槽、３  食器、４  食器かご、５  洗浄ノズル、６  移動レール、７  移動ローラ、８  固定レール、８ａ  上部レール、８ｂ  下部レール、９  固定ローラ。
【図１】
2005230323.tif 000003
【図２】
2005230323.tif 000004
【図３】
2005230323.tif 000005
【図４】
2005230323.tif 000006